(57)【特許請求の範囲】
【請求項１】
左右の縁部のうちの一方に下側重合部を有し他方に上側重合部を有する瓦本体と、
前記上側重合部から軒側方向に延びる軒方延出部と、
前記瓦本体のおもて面のうちの左右方向における中央近傍において上方に突出し、当該瓦本体の軒棟方向に延び、少なくともその軒側端部において軒側方向に向かうにつれて横幅が広がるように設けられ、当該瓦本体の上を流れる水が、軒側に隣接する２つの瓦の重なり部分を避けるように流れるのをガイドする水流ガイド部と、
前記水流ガイド部の棟側端部に設けられ、葺設された際に棟側に隣接する瓦の前記軒方延出部が係合する被係合部と、
前記瓦本体のおもて面の棟側縁部において上方に突出する突出部と、
前記下側重合部のうちの軒側縁部に設けられ、前記突出部の幅に対応する幅を有する切欠状をなし、葺設された際に軒側に隣接する瓦の前記突出部が嵌合する嵌合部と
を有する、瓦。
【発明の詳細な説明】
【０００１】
【発明の属する技術分野】
この発明は、瓦に関するものである。
【０００２】
【従来の技術】
従来より、家屋等の建物の屋根に葺設される瓦として、次のようなものがある。
図７に示すように、その瓦３１０は、ほぼ平板状の瓦本体３２０を有し、その左側部には下側重合部３３０が設けられ、その右側には上側重合部３４０が設けられている。また、瓦本体３２０のおもて面には、水流ガイド部３５０が形成されている。
【０００３】
そして、瓦３１０は、左右方向には、下側重合部３３０の上に上側重合部３４０が重ね合わされて葺設される。また、軒側・棟側間の方向（以下、軒棟方向ともいう）には、軒棟方向において隣接する瓦３１０が左右方向に瓦３１０の幅の約半分の長さだけずれるようにして、軒側の瓦３１０の棟側縁部の上に棟側の瓦３１０の軒側縁部が重ね合わされるようにして、葺設される。その際、釘孔部３２６を通して釘が打ち付けられることによって、その下のベース（瓦桟）に対して固定される。
【０００４】
図７中に示すように、瓦３１０の下側重合部３３０のうちの軒側縁部が、軒側に隣接する瓦３１０の棟側縁部に対して、金具Ｍで結合される場合もある。その金具Ｍは、その下側重合部３３０に対して、左側に隣接する瓦３１０の上側重合部３４０が重なることによって、覆い隠される。
【０００５】
【発明が解決しようとする課題】
しかしながら、上記の従来の瓦３１０では、たとえ上述のように金具Ｍで結合されていても、上側重合部３４０は、軒側に隣接する瓦３１０とは結合されていない。
このため、強風等によって上側重合部３４０が浮き上がってしまい、その瓦３１０の位置がずれたり、その瓦３１０が吹き飛んでしまうおそれもある。
【０００６】
そして、もしも上側重合部３４０の軒側縁部を、軒側に隣接する瓦３１０の棟側縁部に対して金具で結合しようとすると、その右側に隣接してその上側重合部３４０の下側に位置する下側重合部３３０を有する瓦３１０が邪魔となる。
また、たとえ、複雑な形状の金具でそれを回避して結合をしようとしても、その上側重合部３４０のおもて面にその金具が露出してしまい、非常に見栄えが悪くなる。
【０００７】
そこで、瓦３１０の浮き上がりや位置ずれの防止を図るために、上述の釘孔部３２６以外の釘孔部（図示省略）も使用して、多数の釘によって瓦３１０が瓦桟に対して固定される場合もある。
しかしながら、それでは、瓦３１０を葺設する際の作業能率が良くない。
【０００８】
そこで、本発明は、能率的に浮き上がり防止を図ることができる瓦を提供することを課題とする。
【０００９】
【課題を解決するための手段】
上記の課題を解決するために、請求項１に係る発明は、左右の縁部のうちの一方に下側重合部を有し他方に上側重合部を有する瓦本体と、前記上側重合部から軒側方向に延びる軒方延出部と、前記瓦本体のおもて面のうちの左右方向における中央近傍において上方に突出し、当該瓦本体の軒棟方向に延び、少なくともその軒側端部において軒側方向に向かうにつれて横幅が広がるように設けられ、当該瓦本体の上を流れる水が、軒側に隣接する２つの瓦の重なり部分を避けるように流れるのをガイドする水流ガイド部と、前記水流ガイド部の棟側端部に設けられ、葺設された際に棟側に隣接する瓦の前記軒方延出部が係合する被係合部と、前記瓦本体のおもて面の棟側縁部において上方に突出する突出部と、前記下側重合部のうちの軒側縁部に設けられ、前記突出部の幅に対応する幅を有する切欠状をなし、葺設された際に軒側に隣接する瓦の前記突出部が嵌合する嵌合部とを有する、瓦である。
【００１０】
この発明の瓦は、左右方向に隣接する瓦の下側重合部の上に上側重合部が重ね合わされ、軒側に隣接する瓦の棟側縁部の上に軒側縁部が重ね合わされて葺設される。
そして、この発明の瓦では、軒方延出部が、軒側に隣接する瓦の水流ガイド部の被係合部に係合される。このため、強風等による上側重合部の浮き上がりが防止される。
また、下側重合部は、左右方向に隣接して当該下側重合部に重なる上側重合部を有する瓦の当該上側重合部の下側に位置し、当該隣接する瓦に加わる重力によって押さえられる。このため、同時に下側重合部の浮き上がりも防止される。
こうして、瓦全体の浮き上がりが防止される。
【００１１】
また、この発明の瓦では、下側重合部の嵌合部に対して、軒側に隣接する瓦の突出部が嵌合される。このため、その瓦は、下側重合部において、軒側に隣接する瓦との間の位置ずれも防止される。こうして、この発明では瓦の位置ずれも防止される。
【００１２】
なお、軒方延出部は、上側重合部にのみ設けられる場合に限らず、瓦本体にまで及んでいてもよい。その場合は、全体の外観が向上する効果が得られる。また、逆に、軒方延出部は、上側重合部のうちの幅のすべてにわたって設けられる場合に限らず、軒側に隣接する瓦の水流ガイド部の被係合部に対応する部分にのみ設けられてもよい。
【００１３】
また、この発明の瓦では、軒棟方向において隣接する瓦が左右方向に瓦の幅の約半分の長さだけずれるようにして葺設されることによって、水流ガイド部が、軒側に隣接する２つの瓦が重なり合う部分（すなわち、一方の瓦の下側重合部の上に他方の上側重合部が重なる部分）に対応することになる。
このような位置関係において、瓦本体の上を流れる雨水等は、水流ガイド部によってガイドされて流れることによって、軒側に隣接する前記２つの瓦が重なり合う部分を避けるように流れる。このため、その雨水等が、その重なり合う部分から内部（瓦の下側）へ浸入することが防止されるのである。
すなわち、この発明では、水流ガイド部によって、このような雨水等の浸入防止が図られるとともに、その水流ガイド部に設けられた被係合部によって、瓦の浮き上がりが防止されるのである。
【００１４】
【発明の実施の形態】
次に、本発明の一実施形態を図１〜図６に基づいて説明する。
図１に示すように、この瓦１０は、全体でほぼ正方形状をしており、ほぼ平板状の瓦本体２０を有している。
瓦本体２０の左側の縁部には下側重合部３０が形成され、瓦本体２０の右側の縁部には上側重合部４０が形成されている。下側重合部３０は、段差を介して瓦本体２０よりも若干下側に位置している。下側重合部３０の軒側端部３６は、瓦本体２０の軒側端部よりも棟側へ後退した位置にある。上側重合部４０は、段差を介して瓦本体２０よりも若干上側に位置している。
【００１５】
瓦本体２０のおもて面には、水流ガイド部５０（上方突出部）が形成されている。
水流ガイド部５０は、瓦本体２０のおもて面のうちの左右方向におけるほぼ中央の部分において上方に突出して形成されている。水流ガイド部５０は、軒棟方向に延びており、瓦本体２０の軒側端部まで及んでいる。水流ガイド部５０は、そのうちの軒側端部の近傍の部分において、棟側から軒側に向かうにつれて左右均等に徐々に横幅が広がっている。
【００１６】
瓦本体２０（水流ガイド部５０を除く）及び上側重合部４０の軒側縁部には、下垂部２２が形成されている。下垂部２２は、斜め下方に向かった後にほぼ鉛直下方に向かっている。
下垂部２２の先端部には軒方延出部４５が形成されている。軒方延出部４５は、軒側方向に延びている。
下垂部２２及び軒方延出部４５のうちの左右方向におけるほぼ中央部（水流ガイド部５０に対応する部分）には切欠部２４が形成されている。切欠部２４は、上側重合部４０に対応して形成されている。
【００１７】
水流ガイド部５０の棟側端部には、被係合部５２が形成されている（図５も参照）。
被係合部５２は、軒方延出部４５に対応して形成されている。被係合部５２は、水流ガイド部５０の棟側端部から、水流ガイド部５０の上面より下の部分（瓦本体２０のおもて面と面一及びそれより若干上の部分）において、軒側方向へ切り込むように窪んで形成されている。
【００１８】
図１及び図３に示すように、瓦本体２０のおもて面には突出部６０が設けられている。
突出部６０は、瓦本体２０のおもて面の棟側縁部（水流ガイド部５０よりも棟側部分）のうちの左右方向におけるほぼ中央の部分において、上方へ突出している。
【００１９】
下側重合部３０のうちの軒側縁部には、嵌合部３２が切欠状に形成されている。
嵌合部３２は、突出部６０に対応して形成されている。すなわち、嵌合部３２の幅（左右方向の長さ）は、突出部６０の左右方向の幅に対応している。また、嵌合部３２の切欠深さ（棟側方向の長さ）は、突出部６０の軒棟方向の幅（奥行き）よりも深く形成されている。なお、嵌合部３２の切欠深さは、突出部６０の軒棟方向の幅（奥行き）とほぼ同一又は浅くてもよい。
【００２０】
瓦本体２０の棟側縁部には、左右一対の釘孔部２６が形成されている。また、図２に示すように、瓦本体２０の裏面の棟側縁部には、左右一対の下方突出部２８が形成されている。
【００２１】
次に、この瓦１０の葺設方法について説明する。
周知のように、屋根に対して、右から左へと順に葺設していくとともに、軒側から棟側へと順に葺設していく。
すなわち、屋根のうち１番軒側の部分において右端部から左端部へと順に葺設した後に、それより１つ棟側の部分において右端部から左端部へと順に葺設していく。その際、軒棟方向において隣接する瓦１０は、左右方向に瓦１０の幅の約半分の長さだけずれるようにして、葺設していく。以下同様に葺設していく。
【００２２】
図６に示すように、屋根Ｒには、瓦１０に対応して、左右方向の延びる瓦桟Ｂ（木材）が、軒棟方向に複数本設けられている。瓦１０は、下方突出部２８が瓦桟Ｂに係止され、必要に応じて、適宜、釘孔部２６を通して釘が瓦桟Ｂに対して打ち付けられることによって、瓦桟Ｂに対して固定される。
【００２３】
図３〜図５に基づいて、ある瓦１０（第１瓦１０Ａということとする）と、その棟側に隣接し、相互に左右に隣接する２つの瓦１０（右側の瓦を第２瓦１０Ｂ、左側の瓦を第３瓦１０Ｃということとする）等に着目して、この瓦１０の葺設方法を詳しく説明する。また、第１瓦１０Ａの右側に隣接する瓦１０を第４瓦１０Ｄということとする。
【００２４】
まず、図３に示すように、第１瓦１０Ａ及び第４瓦１０Ｄに対して、第２瓦１０Ｂを葺設する。第２瓦１０Ｂの軒側縁部が第１瓦１０Ａ及び第４瓦１０Ｄの棟側縁部の上に重なるようにして葺設する。その際、第１瓦１０Ａの上側重合部４０が第２瓦１０Ｂの切欠部２４に嵌合するようにする。
また、その際、第１瓦１０Ａの突出部６０を第２瓦１０Ｂの嵌合部３２に嵌合させる。第１瓦１０Ａの突出部６０は、第２瓦１０Ｂの嵌合部３２のうちの棟側の奥面に対して当接する場合もある。
【００２５】
次に、図４及び図５に示すように、第１瓦１０Ａ及び第２瓦１０Ｂに対して、第３瓦１０Ｃを葺設する。第３瓦１０Ｃの上側重合部４０を第２瓦１０Ｂの下側重合部３０の上に重ねるとともに、第３瓦１０Ｃの軒側縁部を第１瓦１０Ａの棟側縁部の上に重ねる。
その際、第３瓦１０Ｃの軒方延出部４５を第１瓦１０Ａの被係合部５２に係合させる。
以上のような作業を繰り返して、屋根に多数の瓦１０を葺設していく。
【００２６】
以上のようにして葺設された瓦１０では、次の作用効果が得られる。
図４に示すように、第３瓦１０Ｃの上側重合部４０は、その軒方延出部４５が第１瓦１０Ａの被係合部５２に対して係合されているために、強風等によっても浮き上がることが防止される。第２瓦１０Ｂの下側重合部３０は、その上に第３瓦１０Ｃの上側重合部４０が重なっているため、その重力によって、同じく強風等による浮き上がりが防止される。
【００２７】
また、図３に示すように、第２瓦１０Ｂは、その嵌合部３２に第１瓦１０Ａの突出部６０が嵌合しているため、位置ずれが防止される。
すなわち、第２瓦１０Ｂの嵌合部３２と第１瓦１０Ａの突出部６０との間では、左右の２方向において位置ずれが防止される。また、前述のように、第１瓦１０Ａの突出部６０が第２瓦１０Ｂの嵌合部３２の棟側の奥面に当接している場合は、両瓦１０Ａ・１０Ｂが軒棟方向において近接する方向にも位置ずれが防止される。
【００２８】
屋根の葺設される瓦のうちのすべて（縁端部のものを除く）が、見方を変えることによって、上記の第１瓦１０Ａ〜第３瓦１０Ｃのすべてに該当する。このため、この瓦１０を用いれば、屋根に葺設されたすべての瓦の浮き上がりや位置ずれが防止されるのである。また、浮き上がりや位置ずれの防止のために釘を使用する必要性も軽減され、葺設の作業の能率が図られる。
【００２９】
また、この瓦１０では、水流ガイド部５０によって、次のような効果が得られる。
図３に示すように、軒棟方向において隣接する瓦１０が左右方向に瓦１０の幅の約半分の長さだけずれるようにして葺設されることによって、第２瓦１０Ｂの水流ガイド部５０が、軒側に隣接する２つの瓦１０Ａ，１０Ｄが重なり合う部分（すなわち、第４瓦１０Ｄの下側重合部３０（図３中符号なし）の上に第１瓦１０Ａの上側重合部４０が重なる部分）に対応する。
このような位置関係において、第２瓦１０Ｂの上を流れる雨水等は、瓦本体２０のうちの水流ガイド部５０以外の部分を軒側方向に流れる。そして、左右に幅が広がる水流ガイド部５０の軒側端部近傍の部分によってガイドされて流れることによって、第１瓦１０Ａ及び第４瓦１０Ｄにおいては、第１瓦１０Ａ及び第４瓦１０Ｄが重なり合う部分を避けるように流れる。
このため、その雨水等が、その重なり合う部分から内部（第１瓦１０Ａ及び第４瓦１０Ｄの下側）へ浸入することが防止される。
【００３０】
なお、上記のものはあくまで本発明の一実施形態にすぎず、当業者の知識に基づき種々の変更を加えた態様で本発明を実施できることはもちろんである。
例えば、軒方延出部４５は、瓦本体２０及び上側重合部４０に設けられているのではなく、上側重合部４０のみに設けられていてもよい。
また、水流ガイド部５０は、棟側端部（又はその近傍）から軒側端部に至るまで徐々にその横幅が広がるようにされていてもよい。また、棟側端部の近傍において、徐々にその横幅が広がり、それよりも軒側の部分はほぼ一様に幅広であってもよい（幅広とは、棟側端部における横幅との比較によるものである）。また、棟側端部から軒側端部に至るまで、ほぼ一様の横幅であって、軒側に隣接する２つの瓦の重なり部分を雨水等が避けるように流れるのをガイドする程度に幅広であればよい。
【図面の簡単な説明】
【図１】  本発明の実施形態の瓦を示す斜視図である。
【図２】  本発明の実施形態の瓦を示す斜視図である。斜め下方から見た図である。
【図３】  本発明の実施形態の瓦の葺設方法を示す図である。第１段階を示す。雨水等の流れも示す。
【図４】  本発明の実施形態の瓦の葺設方法を示す図である。第２段階を示す。
【図５】  本発明の実施形態の瓦の葺設状態を示す縦断面図である。
【図６】  本発明の実施形態の瓦の葺設状態を示す側面図である。
【図７】  従来の瓦及びその葺設方法を示す斜視図である。
【符号の説明】
１０（１０Ａ，１０Ｂ，１０Ｃ，１０Ｄ）  瓦
２０  瓦本体
３０  下側重合部
３２  嵌合部
４０  上側重合部
４５  軒方延出部
５０  水流ガイド部
５２  被係合部
６０  突出部
【図１】
0003983434.tif 000002
【図２】
0003983434.tif 000003
【図３】
0003983434.tif 000004
【図４】
0003983434.tif 000005
【図５】
0003983434.tif 000006
【図６】
0003983434.tif 000007
【図７】
0003983434.tif 000008